(57)【要約】【課題】資料提示装置とパソコン等の外部装置を併用し、マウス等の指示入力手段を用いながらプレゼンテーションを行う場合、指示入力手段の使い勝手を向上させ、併せて省スペースを図ることができる資料提示装置およびプレゼンテーション用ラックを提供する。【解決手段】撮像部１３による撮影画像およびパソコン画像のいずれか一方の画像を液晶モニタ２０およびスクリーンに表示させる資料提示装置１と、デスクトップ型パソコン４１と、ノート型パソコン４２とが設置されるラック７０に、マウス１４の入力部と、使用装置切替スイッチ５９ａおよび機能切替スイッチ５９ｂを設ける。これらスイッチ５９ａ，５９ｂの切り替えにより、表示画像を資料提示装置１側かパソコン側かのいずれか一方に切り替えるとともに、マウス１４の機能を、選択した機能に応じたものに変換する。【選択図】        図２
2004264671.tif 000002
【特許請求の範囲】
【請求項１】
資料を撮影する撮像部と、
外部装置の画像信号が入力される外部画像入力部と、
画像表示装置への画像信号出力部と、
前記撮像部による撮影画像および前記外部装置にそれぞれ応じた機能信号を入力するためのマウス等の指示入力手段と、
前記画像出力部に供給する画像信号を、前記撮影画像か前記外部画像のいずれか一方に切り替えるとともに、前記指示入力手段による機能信号を、選択された画像に応じたものに切り替える切替手段とを備えることを特徴とする資料提示装置。
【請求項２】
撮像部による撮影画像および外部装置から入力される外部画像のいずれか一方を、画像信号出力部から画像表示装置に出力する資料提示装置と、
前記外部装置とが設置されるとともに、
前記資料提示装置と前記外部装置の双方に対し、これら装置に応じた機能信号を送信するマウス等の指示入力手段の入力部を備えたプレゼンテーション用ラックであって、
該ラックには、前記画像出力部に供給する画像信号を、前記撮影画像か、前記外部画像かのいずれか一方に切り替えるとともに、前記指示入力手段による機能信号を、選択された画像に応じたものに切り替える切替手段が設けられていることを特徴とするプレゼンテーション用ラック。
【発明の詳細な説明】
【０００１】
【発明の属する技術分野】
本発明は、資料を撮影し、撮影画像をディスプレイやスクリーン等に表示させる資料提示装置と、このような資料提示装置を設置するためのプレゼンテーション用ラックに関する。
【０００２】
【従来の技術】
スクリーン等に原稿等の資料を映し、その画像を参照しながら聴衆に対して資料の内容をプレゼンターが説明するプレゼンテーションを行う場合、近年では、広く普及していたＯＨＰ（オーバーヘッドプロジェクタ）に代わり、資料提示装置が用いられてきている。資料提示装置は、資料を被写体とするＣＣＤカメラを有し、該カメラで撮影した資料（立体物を含む）を、例えばプロジェクタ等の投影装置から、聴衆が見るスクリーンに投影するようにして用いられている。
【０００３】
ところで、近年では、単に資料のみを聴衆に表示するだけにとどまらず、パソコン等の外部装置による画像も表示することができる資料提示装置が提案されている（例えば、特許文献１参照）。このような装置は、外部装置の画像入力部を備えており、例えば、パソコンにおいて複数の画像を自動的に連続表示していくプレゼンテーション用ソフトウェアにより生成した画像を、資料提示装置を介して表示させることができる。また、パソコンを含めた様々な画像生成装置を、資料提示装置とともに一括して収納あるいは設置することができ、各装置の使い勝手を向上させてプレゼンテーションを円滑に行うことを目的とした映像投影装置が提案されている（例えば、特許文献２参照）。
【０００４】
【特許文献１】
特開２００１−１６４８９号公報  （段落「００１８」等、図１）
【特許文献２】
特開２００１−１１１９１７号公報  （図１、図２）
【０００５】
【発明が解決しようとする課題】
ところで、資料提示装置の中には、パソコンの入力装置として一般的に使われるマウスが接続され、このマウス操作によって表示画像に対し特定箇所を矢印画像等でポインティングすることができるものがある。このような資料提示装置とともにパソコンを併用する場合、パソコンのマウス操作はパソコンに接続されているものを使用するので、マウスは２つになる。すなわち、資料提示装置側の画像を表示した場合は資料提示装置側のマウスを使用し、パソコン側の画像を表示した場合はパソコン側のマウスを使用するわけである。このため、表示画像に応じてマウスを選択することが煩わしかったり混乱を招いたりする場合が多く、甚だ不便であった。また、キャビネット上に資料提示装置とパソコンを設置する場合、２つのマウスを操作するスペースを確保せねばならないので、そのキャビネットを小型化するには限度があった。
【０００６】
よって本発明は、資料提示装置とパソコン等の外部装置を併用し、それぞれの装置に対してマウス等の指示入力手段を用いる場合、その指示入力手段の数を削減して使用者の負担を軽減し、もって円滑なプレゼンテーションを可能とし、併せて省スペースを図ることができる資料提示装置およびプレゼンテーション用ラックを提供することを目的としている。
【０００７】
【課題を解決するための手段】
本発明の資料提示装置は、資料を撮影する撮像部と、外部装置の画像信号が入力される外部画像入力部と、画像表示装置への画像信号出力部と、撮像部による撮影画像および外部装置の外部画像にそれぞれ応じた機能信号を入力するためのマウス等の指示入力手段と、画像出力部に供給する画像信号を、撮影画像か外部画像のいずれか一方に切り替えるとともに、指示入力手段による機能信号を、選択された画像に応じたものに切り替える切替手段とを備えることを特徴としている。
【０００８】
本発明の資料提示装置によれば、切替手段により、画像表示装置に表示される画像が、撮像部による撮影画像（資料を撮影していれば資料画像である）か、外部装置から入力した外部画像かのいずれかに切り替えられる。一方、マウス等の指示入力手段は１つであり、表示画像が撮影画像に切り替えられると撮影画像に応じた機能信号が撮影画像に反映され、その機能を撮影画像すなわち表示画像に対して使用することができる。この場合の機能としては、矢印等のポインティングに適したポイント画像が挙げられる。また、表示画像が外部画像に切り替えられると、外部装置に応じた機能信号が該外部装置に送信され、その機能信号に基づく機能が外部画像に反映され、その機能を外部装置に対して使用することができる。外部装置に応じた機能としては、例えばパソコン操作用のカーソルやマウスポインタ等である。このような作用により、１つの指示入力手段で、異なる種類の表示画像に応じた機能をその表示画像に反映させることができ、したがって、従来のように複数のマウスから１つのマウスを選択する手間が省かれ、その結果、使用者の負担が軽減し、もって円滑なプレゼンテーションが可能になる。
【０００９】
次に、本発明のプレゼンテーション用ラックは、撮像部による撮影画像および外部装置から入力される外部画像のいずれか一方を、画像信号出力部から画像表示装置に出力する資料提示装置と、外部装置とが設置されるとともに、資料提示装置と外部装置の双方に対し、これら装置に応じた機能信号を送信するマウス等の指示入力手段の入力部を備えたプレゼンテーション用ラックであって、該ラックには、画像出力部に供給する画像信号を、撮影画像か、外部画像かのいずれか一方に切り替えるとともに、指示入力手段による機能信号を、選択された画像に応じたものに切り替える切替手段が設けられていることを特徴としている。
【００１０】
本発明のプレゼンテーション用ラックによれば、資料提示装置による撮影画像および外部画像の出力と、これに併せた指示入力手段の作用は、上記本発明の資料提示装置と同様である。そして、マウス等の指示入力手段は１つで足りることから、ラック自体を小型化することができ、省スペースを図ることができる。
【００１１】
なお、上記外部装置とは、マウスを指示入力手段として備えるパソコンが挙げられる。また、画像表示装置とは、スクリーンに画像を投影するプロジェクタやスクリーン、ＣＲＴ、液晶等のディスプレイ等のことである。
【００１２】
【発明の実施の形態】
以下、図面を参照して本発明の実施形態を説明する。
（１）第１実施形態：資料提示装置
図１は、本発明の第１実施形態に係る資料提示装置１を用いて構成したプレゼンテーションシステムを示している。資料提示装置１は、資料を置く資料載置台１１に、アーム１２を介して資料を撮影する撮像部１３が設けられたもので、撮像部１３による撮影画像の信号（ＲＧＢ信号）が液晶モニタ（画像表示装置）２０および液晶モニタ２０を経て液晶プロジェクタ（画像表示装置）３０に供給される。液晶プロジェクタ３０は、聴衆が見る図示せぬスクリーンに画像を投影する適宜な場所に設置される。資料載置台１１には、マウス（指示入力手段）１４が接続されている。また、資料載置台１１は外部画像入力部を備えており、該入力部にパソコン（図示例ではノート型パソコン：外部装置）４０で生成された画像の信号（ＲＧＢ信号）が供給される。さらに、資料載置台１１とパソコン４０とは、マウスＩ／Ｆを介して接続されている。
【００１３】
図２は、資料提示装置１の詳細を示すブロック図である。同図に示すように、撮像部１３による撮影画像の画像信号（アナログ）はＡ／Ｄ変換器５１によりデジタル化され、画像処理部５２を経てから第１Ｄ／Ａ変換器５３により再びアナログに戻され、画像切替スイッチ５４に至る。一方、パソコン４０の画像信号は、直接、画像切替スイッチ５４に入力する。画像切替スイッチ５４の切り替わりにより、資料提示装置１の撮像部１３による撮影画像（以下、撮影画像と称する）の信号と、パソコン４０側の画像（以下、パソコン画像と称する）の信号のいずれか一方が、ピクチャー・イン・ピクチャー方式のポイント画像合成部５７を経て液晶モニタ２０および液晶プロジェクタ３０に供給される。
【００１４】
マウス１４による入力信号（マウス１４の移動量の信号）は、マウスＩ／Ｆを介してマウス信号処理部５５に入力する。該処理部には、パソコン４０に接続される上記マウスＩ／Ｆが接続されている。マウス１４による入力信号は、マウス信号処理部５５でポインティング信号またはマウス信号に変換される。ポインティング信号は第２Ｄ／Ａ変換器５６によりアナログのポイント画像信号（ＲＧＢ信号）に変換され、ポイント画像合成部５７に至る。一方、マウス信号は、マウスＩ／Ｆを介してパソコン４０に送信される。
【００１５】
ポインティング信号に基づくポイント画像は、撮影画像およびパソコン画像に対して合成されるものであり、一方、マウス信号はパソコン４０に送られ、パソコン４０のモニタ画面に表示されるパソコン画像に、マウス信号に基づくマウスカーソルとして表示される。この資料提示装置１では、撮影画像とパソコン画像の切り替えを、制御部５８に接続された使用装置切替スイッチ５９ａ（ＳＷ１）により行う。また、マウス１４による入力信号は、制御部５８に接続された使用装置切替スイッチ５９ａと機能切替スイッチ５９ｂ（ＳＷ２）との組み合わせにより、ポインティング信号またはマウス信号のどちらかに変換される。これらスイッチ５９ａ、５９ｂと、図２に示した構成要素のうちの撮像部１３、液晶モニタ２０および液晶プロジェクタ３０を除いたものは、資料載置台１１に内蔵されている。なお、使用装置切替スイッチ５９ａおよび機能切替スイッチ５９ｂは、マウス１４に設けてもよい。
【００１６】
使用装置切替スイッチ５９ａで資料提示装置１を選択すると、その信号を受けた制御部５８により画像切替スイッチ５４が資料提示装置１側に切り替わり、撮影画像がポイント画像合成部５７を経て液晶モニタ２０および液晶プロジェクタ３０に出力される。また、これと同時にマウス１４の移動量が第２Ｄ／Ａ変換器５６に送信され、ポイント画像が撮影画像に合成される。したがって、液晶モニタ２０および液晶プロジェクタ３０からスクリーンに表示される画像は、撮影画像にポイント画像が合成されたものとなる。ポイント画像は、例えば矢印画像であり、マウス１４の移動方向および移動量に追従して撮影画像上を移動する。なお、使用装置切替スイッチ５９ａで資料提示装置１を選択した場合は、機能切替スイッチ５９ｂの状態にかかわらず、マウス１４による入力信号がポインティング信号に変換され、マウスＩ／Ｆにはマウス１４の移動量ならびにクリック等の信号は送信されない。
【００１７】
次に、使用切替スイッチ５９ａでパソコン４０を選択すると、その信号を受けた制御部５８により、画像切替スイッチ５４がパソコン４０側に切り替わり、パソコン画像がポイント画像合成部５７を経て液晶モニタ２０および液晶プロジェクタ３０に出力される。このとき、機能切替スイッチ５９ｂがポインタ側であればマウス１４の移動量が第２Ｄ／Ａ変換器５６に送信され、ポイント画像がパソコン画像に合成される。一方、マウスＩ／Ｆにはマウス１４の移動量ならびにクリック等の信号は送信されない。また、機能切替スイッチ５９ｂがマウス１４側であればマウス信号がマウスＩ／Ｆを介してパソコンに送られる。なお、この場合、ポインティング信号は出力されない。これにより、パソコン４０のモニタ画面にマウス１４により操作された内容（移動、クリック等）が反映される。したがって、液晶モニタ２０および液晶プロジェクタ３０からスクリーンに表示される画像は、パソコン４０が備えるマウス機能が反映されたパソコン画像となり、この場合、ポイント画像は表示されない。
【００１８】
図３は、図２のＡで示した部分の回路構成を具体的な例として示しており、ここでは、制御部５８の一部とマウス信号処理部５５をマウス／ポインタ制御部６０として構成し、該制御部６０に、使用装置切替スイッチ５９ａおよび機能切替スイッチ５９ｂと、マウス１４およびパソコン４０を接続している。マウス１４のマウスコントローラ１４ａおよびパソコン４０のキーボードコントローラ４０ａを接続するマウスＩ／Ｆは、ＤＡＴＡ（データ）とＣＬＫ（クロック）信号を使ったＰＳ／２等のクロック同期式シリアルＩ／Ｆであり、それぞれ、オープンコレクタタイプのバッファ６１を介して接続されている。
【００１９】
この場合、マウス／ポインタ制御部６０が一旦マウス１４から入力信号を受け取り、パソコン４０にその信号を送信する。画像およびマウス機能の切替動作としては、図４に示すように、マウス／ポインタ制御部６０がマウス１４から入力信号（ＤＡＴＡとＣＬＫ）を受け初期化を行い（ステップＳ１０１）、パソコン４０にマウス１４としての初期化コマンドを発行する（ステップＳ１０２）。次に、マウス１４から移動量およびクリック等の制御信号を受信し（ステップＳ１０３）、使用装置切替スイッチ５９ａがパソコン４０側か否かを判断する（ステップＳ１０４）。ステップＳ１０４でパソコン４０側と判断されたら、次に、機能切替スイッチ５９ｂがマウス１４側か否かを判断する（ステップＳ１０５）。ステップＳ１０５でマウス１４側と判断されたら、パソコン４０にマウス１４の移動量およびクリック等の制御信号を送る（ステップＳ１０６）。ステップＳ１０４でパソコン４０側でないまたはステップＳ１０５でマウス１４側ではないと判断されたら、ポイント画像合成部５７にマウス１４の移動量に基づいたポインティング制御信号を送信する（ステップＳ１０７）。
【００２０】
上記実施形態の資料提示装置１によれば、使用装置切替スイッチ５９ａが資料提示装置１側の場合は表示画像（液晶モニタ２０の表示画像および液晶プロジェクタ３０からスクリーンに投影される画像）が資料提示装置１の撮影画像となり、マウス１４による入力操作はポインティングとなる。一方、使用装置切替スイッチ５９ｂがパソコン４０側の場合は表示画像がパソコン画像となり、さらに機能切替スイッチ５９ｂがマウス１４側の場合はマウス機能がパソコン４０に送信される。機能切替スイッチ５９ｂがポインタ側の場合、マウス１４による入力操作はポインティングとなる。このような作用により、１つのマウス１４をパソコン４０と共用することができる資料提示装置となっている。したがって、従来のように複数のマウス１４から１つのマウス１４を選択する手間が省かれ、その結果、使用者（プレゼンター）の負担が軽減し、もって円滑なプレゼンテーションが可能になる。
【００２１】
（２）第２実施形態：プレゼンテーション用ラック
図５は、本発明の第２実施形態に係るプレゼンテーション用ラック（以下、ラックと称する）７０の使用例を示している。このラック７０の内部は、前方に開放する上下２つの収納部７１ａ，７１ｂが棚板７２によって仕切られており、天板７３上も機器の設置スペースとされている。図示例では、下側収納部７１ｂにデスクトップ型パソコン（外部装置）４１の本体４１Ａが収納されており、上側収納部７１ａには、使用者が持参するノート型パソコン（外部装置）４２が作動中であるが閉じた状態で収納される。デスクトップ型パソコン４１のキーボード４１Ｂは前後移動式のスライド式テーブル７２ａに載せられている。また、天板７３上には、上記第１実施形態と同様の資料提示装置１、マウス１４および液晶モニタ２０が適宜に配置されている。また、液晶プロジェクタ３０は画像をスクリーンに投影する適宜な場所に設置される。この図に示すものは、ラック７０の左側に設けられた折り畳み可能な補助板７３ａの上に設置されている。
【００２２】
図６は、資料提示装置１の資料載置台１１に対するマウス１４、液晶モニタ２０、液晶プロジェクタ３０、デスクトップ型パソコン４１およびノート型パソコン４２の接続形態を概念的に示している。同図に示すように、資料載置台１１には、デスクトップ型パソコン４１およびノート型パソコン４２の画像信号（ＲＧＢ信号）が入力され、さらにこれらパソコン４１，４２がマウスＩ／Ｆを介して接続されている。また、資料載置台１１からは、液晶モニタ２０および液晶プロジェクタ３０にそれぞれ画像信号（ＲＧＢ信号）が出力される。ラック７０は、デスクトップ型パソコン４１およびノート型パソコン４２の各マウスＩ／Ｆを接続するポートあるいはケーブルを備えている。デスクトップ型パソコン４１は、常に接続されているものとする。
【００２３】
図７は、図６に示した接続形態を具体的に実施する回路の例を示している。この場合、資料載置台１１は、上記第１実施形態と同様のマウス／ポインタ制御部６０を内蔵しており、該制御部６０に、使用装置切替スイッチ５９ａおよび機能切替スイッチ５９ｂが接続されるとともに、マウス１４のマウスコントローラ１４ａが、マウスＩ／Ｆ（ＤＡＴＡとＣＬＫ信号を使ったＰＳ／２等のクロック同期式シリアルＩ／Ｆ）を介して接続されている。使用装置切替スイッチ５９ａおよび機能切替スイッチ５９ｂは、図５に示すように、ラック７０の天板７３上に設置されている。マウス／ポインタ制御部６０を経たマウス１４による入力信号は、マウスＩ／Ｆを介してラック７０に設けられたラック回路部７５のマウス切替スイッチ７６に至り、該スイッチ７６により、デスクトップ型パソコン４１あるいはノート型パソコン４２のキーボードコントローラ４１ａ、４２ａのいずれか一方に、ＤＡＴＡとＣＬＫ信号が送信される。
【００２４】
デスクトップ型パソコン４１およびノート型パソコン４２からの画像信号は、ラック回路部７５のパソコン切替スイッチ７７によっていずれか一方が選択され、選択されたパソコン画像が、資料載置台１１内の画像処理制御部６２に供給される。この画像処理制御部６２には、資料提示装置１の撮影画像も供給され、供給される画像が撮影画像かパソコン画像かを使用装置切替スイッチ５９ａにより切り替える。画像処理制御部６２には、マウス／ポインタ制御部６０からポインタ制御信号が供給され、使用装置切替スイッチ５９ａで撮影画像が選沢されている場合は、その撮影画像にポインティング用のポイント画像が合成される。使用切替スイッチ５９ａでパソコン画像が選択され、かつ機能切替スイッチ５９ｂでマウスが選択された場合は、パソコン（４１か４２）にそのパソコンのマウス機能が反映される。機能切替スイッチ５９ｂでポインタを選択した場合はマウス／ポインタ制御部６０からポインタ制御信号が供給され、パソコン画像にポインティング用のポイント画像が合成される。そしていずれの場合も新たな画像信号として液晶モニタ２０および液晶プロジェクタ３０に分配される。
【００２５】
上記ラック７０によりパソコンを用いてプレゼンテーションを行う場合、使用者（プレゼンター）が持参したノート型パソコン４２を使用する場合は、マウスＩ／Ｆを介してラック回路部７５に接続し、パソコン切替スイッチ７７をノート型パソコン４２側に切り替える。また、ＦＤ、ＭＯ、ＣＤ−ＲＯＭ等のメディアを持参した場合は、デスクトップ型パソコン４１にそのメディアをロードし、パソコン切替スイッチ７７をデスクトップ型パソコン４１側に切り替える。これにより、パソコン画像が液晶モニタ２０および液晶プロジェクタ３０を介してスクリーンに表示される。使用者は、資料を資料提示装置１の資料載置台１１上にセットし、撮像部１３で撮影した撮影画像（資料画像）を液晶モニタ２０およびスクリーンに表示させることもできる。資料とパソコンを併用する場合、使用装置切替スイッチ５９ａで使用する側の画像を選択する。選択した画像は液晶モニタ２０およびスクリーンに表示されるとともに、マウス１４を、上記第１実施形態と同様に機能切替スイッチ５９ｂで選択した機能に応じて使用することができる。
【００２６】
上記実施形態のラック７０によれば、複雑な機器間の配線をすることなく、１つのマウス１４を用いながら、資料提示装置１やパソコン（デスクトップ型パソコン４１かノート型パソコン４２）に応じたプレゼンテーションを行うことができる。また、使用者が所持するノート型パソコン４２を簡単に接続することができるので、使い慣れた（例えば使用者がカスタマイズしている場合などは特にそうであろう）そのノート型パソコン４２を使用することができる。なお、上記実施形態ではマウス１４がラック７０に接続されているが、使用者が使っているマウスを接続することもでき、この場合は一層使い勝手が向上する。また、１つのマウス１４をパソコンと共用することができるメリットは上記第１実施形態と同様であり、このため、マウス１４の操作スペースは１つ分でよいからラック７０自体を小型化することができ、省スペースを図ることができる。
【００２７】
【発明の効果】
以上説明したように、本発明の資料提示装置によれば、１つの指示入力手段で異なる種類の表示画像に応じた機能をその表示画像に反映させることができるので、従来のように複数のマウスから１つのマウスを選択する手間が省かれ、その結果、使用者の負担が軽減し、もって円滑なプレゼンテーションが可能になる。また、本発明のプレゼンテーション用ラックによれば、上記の効果に加え、ラック自体を小型化することができ、省スペースを図ることができる。
【図面の簡単な説明】
【図１】本発明の第１実施形態の資料提示装置を用いたプレゼンテーションシステムの概念図である。
【図２】第１実施形態資料提示装置の構成を示すブロック図である。
【図３】図２のＡで示した部分の回路構成図である。
【図４】第１実施形態の画像切り替え動作のフローチャートである。
【図５】本発明の第２実施形態のプレゼンテーション用ラックの使用例を示す斜視図である。
【図６】第２実施形態の資料載置台に対する各機器の接続形態を概念的に示す図である。
【図７】図６に示した接続形態を具体的に実施する回路構成図である。
【符号の説明】
１…資料提示装置
１３…撮像部
１４…マウス（指示入力手段）
２０…液晶モニタ（画像表示装置）
３０…液晶プロジェクタ（画像表示装置）
４０，４１，４２…パソコン（外部装置）
５９ａ（ＳＷ１）…使用装置切替スイッチ（切替手段）
５９ｂ（ＳＷ２）…機能切替スイッチ（切替手段）
７０…プレゼンテーション用ラック
【図１】
2004264671.tif 000003
【図２】
2004264671.tif 000004
【図３】
2004264671.tif 000005
【図４】
2004264671.tif 000006
【図５】
2004264671.tif 000007
【図６】
2004264671.tif 000008
【図７】
2004264671.tif 000009